(57)【要約】【課題】コンテンツが表示される前の表示装置に何も表示されない不都合を防止する。【解決手段】コンテンツ表示制御装置２は、メタデータ配信装置３から送信されたメタデータ内のメディア情報内のメディアＩＤをメディア蓄積装置６に送信し（Ｓ５）、メディアを受信し表示装置１に表示させる（Ｓ９）。コンテンツ表示制御装置２は、メタデータ内のライセンスＩＤとコンテンツＩＤをライセンスキー発行装置５に送信し（Ｓ１１）、ライセンスキーを受信する（Ｓ１３）。コンテンツ表示制御装置２は、コンテンツＩＤをコンテンツ配信装置４に送信し（Ｓ１７）、コンテンツを受信する。コンテンツ表示制御装置２は、コンテンツをライセンスキーによって復号し（Ｓ２１）、メディア表示を中止し（Ｓ２３）、復号後のコンテンツを表示装置１に表示させる（Ｓ２５）。【選択図】図１
2011175404.tif 000002
【特許請求の範囲】
【請求項１】
コンテンツを表示装置に表示させるコンテンツ表示制御装置および当該コンテンツを表示するためのメタデータを有するメタデータ配信装置を含み、
前記メタデータは、前記表示装置に表示されるべく定められたメディアを示すメディアＩＤを含むメディア情報と、暗号化された前記コンテンツを復号するためのライセンスキーを取得するためのライセンスＩＤとを含み、
前記コンテンツ表示制御装置は、
前記コンテンツを示すコンテンツＩＤを前記メタデータ配信装置に送信し、当該コンテンツＩＤの送信に対して当該メタデータ配信装置から送信される前記メタデータを受信するメタデータ受信部と、
当該メタデータ内のメディア情報内のメディアＩＤを所定のメディア蓄積装置に送信し、当該メディア蓄積装置から該当のメディアを受信するとともに、当該メタデータ内のライセンスＩＤと前記コンテンツＩＤを所定のライセンスキー発行装置に送信し、該ライセンスキー発行装置から該当のライセンスキーを受信するメタデータ処理部と、
当該コンテンツＩＤを所定のコンテンツ配信装置に送信して、該コンテンツ配信装置から該当のコンテンツを受信するコンテンツ受信部と、
当該コンテンツを当該ライセンスキーによって復号する暗号処理部と、
前記復号後のコンテンツを前記表示装置に表示させ、且つ、当該コンテンツが表示可能になるまでは、前記メディアを前記表示装置に表示させる表示制御部と
を備えることを特徴とするコンテンツ表示システム。
【請求項２】
前記メタデータ配信装置は、
該メタデータ配信装置に送信されるコンテンツＩＤに対応するコンテンツの内容または前記表示装置に表示される当該コンテンツを見るユーザの属性に応じたメディアを示すメディアＩＤを含むメディア情報を含むメタデータを前記コンテンツ表示制御装置に送信する
ことを特徴とする請求項１記載のコンテンツ表示システム。
【請求項３】
前記メディアは、表示開始から所定の時間の長さが経過したときに表示終了するものであり、
前記表示制御部は、前記復号後のコンテンツが表示可能か否かによらず、前記メディアを表示終了まで表示させるものであり、
前記コンテンツ表示制御装置は、
前記メディアが表示終了したか否かを監視し、当該メディアが表示終了したなら、前記表示制御部により前記表示装置にコンテンツを表示させるタイミング制御部
を備えることを特徴とする請求項１または２記載のコンテンツ表示システム。
【請求項４】
コンテンツを表示装置に表示させるコンテンツ表示制御装置および当該コンテンツを表示するためのメタデータを有するメタデータ配信装置が行うコンテンツ表示方法であって、
前記メタデータは、前記表示装置に表示されるべく定められたメディアを示すメディアＩＤを含むメディア情報と、暗号化された前記コンテンツを復号するためのライセンスキーを取得するためのライセンスＩＤとを含み、
前記コンテンツ表示方法は、
前記コンテンツ表示制御装置のメタデータ受信部が、前記コンテンツを示すコンテンツＩＤを前記メタデータ配信装置に送信するステップと、
前記メタデータ配信装置が、当該コンテンツＩＤの送信に対して、前記メタデータを前記コンテンツ表示制御装置に送信するステップと、
前記コンテンツ表示制御装置のメタデータ受信部が当該メタデータを受信するステップと、
前記コンテンツ表示制御装置のメタデータ処理部が、当該メタデータ内のメディア情報内のメディアＩＤを所定のメディア蓄積装置に送信し、当該メディア蓄積装置から該当のメディアを受信するとともに、当該メタデータ内のライセンスＩＤと前記コンテンツＩＤを所定のライセンスキー発行装置に送信し、該ライセンスキー発行装置から該当のライセンスキーを受信するステップと、
前記コンテンツ表示制御装置のコンテンツ受信部が、当該コンテンツＩＤを所定のコンテンツ配信装置に送信して、該コンテンツ配信装置から該当のコンテンツを受信するステップと、
前記コンテンツ表示制御装置の暗号処理部が、当該コンテンツを当該ライセンスキーによって復号するステップと、
前記コンテンツ表示制御装置の表示制御部が、前記復号後のコンテンツを前記表示装置に表示させ、且つ、当該コンテンツが表示可能になるまでは、前記メディアを前記表示装置に表示させるステップと
を備えることを特徴とするコンテンツ表示方法。
【請求項５】
前記メタデータ配信装置は、
該メタデータ配信装置に送信されるコンテンツＩＤに対応するコンテンツの内容または前記表示装置に表示される当該コンテンツを見るユーザの属性に応じたメディアを示すメディアＩＤを含むメディア情報を含むメタデータを前記コンテンツ表示制御装置に送信する
ことを特徴とする請求項４記載のコンテンツ表示方法。
【請求項６】
前記メディアは、表示開始から所定の時間の長さが経過したときに表示終了するものであり、
前記表示制御部は、前記復号後のコンテンツが表示可能か否かによらず、前記メディアを表示終了まで表示させるものであり、
前記コンテンツ表示方法は、
前記コンテンツ表示制御装置のタイミング制御部が、前記メディアが表示終了したか否かを監視し、当該メディアが表示終了したなら、前記表示制御部により前記表示装置にコンテンツを表示させる
を備えることを特徴とする請求項４または５記載のコンテンツ表示方法。
【請求項７】
請求項４ないし６のいずれかに記載のコンテンツ表示方法をコンピュータに実行させるためのコンピュータプログラム。
【発明の詳細な説明】
【技術分野】
【０００１】
本発明は、コンテンツが表示される前の表示装置に何も表示されない不都合を防止できるコンテンツ表示システムおよびコンテンツ表示方法に関するものである。
【背景技術】
【０００２】
遠隔のサーバに保持された映像などデジタルのコンテンツをＩＰ（インターネットプロトコル）により端末にオンデマンド配信する際、一般的には、ＲＴＳＰ（Ｒｅａｌ  Ｔｉｍｅ  Ｓｔｒｅａｍｉｎｇ  Ｐｒｏｔｏｃｏｌ）のようなプロトコルのみを使い、コンテンツを直接的に端末に配信するか、あるいは、ＤＲＭ（Ｄｉｇｉｔａｌ  Ｒｉｇｈｔｓ  Ｍａｎａｇｅｍｅｎｔ）を介在させる。
【０００３】
ＲＴＳＰとは、ＩＥＴＦのＲＦＣ  ２３２６で規定されているＩＰ上のプロトコルであり、オーディオ、ビデオなどのマルチメディア・データを含むサーバを遠隔操作するために用いられ、テープレコーダのように再生、停止、記録（録音）などの操作ができる。
【０００４】
ＤＲＭとは、電子機器上のコンテンツ（映像、音楽、画像、テキストなど）の不法な利用を防ぐ技術の総称で、暗号化によりコンテンツを保護し、正当な使用の際に暗号を解く鍵（ライセンスキー）を渡すことで、正当な使用者のみによるコンテンツ使用を保証する技術である（非特許文献１参照）。
【０００５】
例えば、ＤＲＭを用いたコンテンツ表示方法では、図５に示すように、まず、コンテンツ表示制御装置２Ｂは、表示させたいコンテンツを示すコンテンツ識別情報（以下、識別情報を「ＩＤ」という）をメタデータ配信装置３Ａに送信する（Ｓ１）。
【０００６】
メタデータ配信装置３Ａは、コンテンツＩＤの送信に対し、予め記憶したメタデータをコンテンツ表示制御装置２Ｂに送信する（Ｓ３）。コンテンツ表示制御装置２Ｂは、メタデータ内のライセンスＩＤとコンテンツＩＤをライセンスキー発行装置５に送信する（Ｓ１１）。
【０００７】
ライセンスキー発行装置５は、コンテンツ表示制御装置２Ｂについていわゆる端末認証を行い、さらに、コンテンツＩＤとライセンスＩＤが対応しているなら、当該ライセンスＩＤに対応するライセンスキーをコンテンツ表示制御装置２Ｂに送信する（Ｓ１３）。
【０００８】
コンテンツ表示制御装置２Ｂは、ライセンスキーを用いて、コンテンツを復号するための準備を行い（Ｓ１５）、コンテンツＩＤをコンテンツ配信装置４に送信する（Ｓ１７）。コンテンツ配信装置４は、コンテンツＩＤによって示される、暗号化されたコンテンツをコンテンツ表示制御装置２Ｂに送信する（Ｓ１９）。
【０００９】
コンテンツ表示制御装置２Ｂは、コンテンツをライセンスキーによって復号し（Ｓ２１）、復号後のコンテンツを表示装置１に表示させる（Ｓ２５）。
【００１０】
このように、復号後のコンテンツが表示可能になるまでは、ライセンスキーの取得、コンテンツの復号が必要で、比較的長時間を要する。そのため、その間、表示装置１には何も表示されず、いわゆる黒見が存在するという不都合がある。
【先行技術文献】
【非特許文献】
【００１１】
【非特許文献１】山下  盛司他、「次世代ＩＰＴＶにおけるＶＯＤ技術」、ＮＴＴ技術ジャーナル、２００６．８
【発明の概要】
【発明が解決しようとする課題】
【００１２】
本発明は、上記の課題に鑑みてなされたものであり、その目的とするところは、コンテンツが表示される前の表示装置に何も表示されない不都合を防止できるコンテンツ表示システムおよびコンテンツ表示方法を提供することにある。
【課題を解決するための手段】
【００１３】
上記の課題を解決するために、第１の本発明は、コンテンツを表示装置に表示させるコンテンツ表示制御装置および当該コンテンツを表示するためのメタデータを有するメタデータ配信装置を含み、前記メタデータは、前記表示装置に表示されるべく定められたメディアを示すメディアＩＤを含むメディア情報と、暗号化された前記コンテンツを復号するためのライセンスキーを取得するためのライセンスＩＤとを含み、前記コンテンツ表示制御装置は、前記コンテンツを示すコンテンツＩＤを前記メタデータ配信装置に送信し、当該コンテンツＩＤの送信に対して当該メタデータ配信装置から送信される前記メタデータを受信するメタデータ受信部と、当該メタデータ内のメディア情報内のメディアＩＤを所定のメディア蓄積装置に送信し、当該メディア蓄積装置から該当のメディアを受信するとともに、当該メタデータ内のライセンスＩＤと前記コンテンツＩＤを所定のライセンスキー発行装置に送信し、該ライセンスキー発行装置から該当のライセンスキーを受信するメタデータ処理部と、当該コンテンツＩＤを所定のコンテンツ配信装置に送信して、該コンテンツ配信装置から該当のコンテンツを受信するコンテンツ受信部と、当該コンテンツを当該ライセンスキーによって復号する暗号処理部と、前記復号後のコンテンツを前記表示装置に表示させ、且つ、当該コンテンツが表示可能になるまでは、前記メディアを前記表示装置に表示させる表示制御部とを備えることを特徴とする。
【００１４】
例えば、前記メタデータ配信装置は、該メタデータ配信装置に送信されるコンテンツＩＤに対応するコンテンツの内容または前記表示装置に表示される当該コンテンツを見るユーザの属性に応じたメディアを示すメディアＩＤを含むメディア情報を含むメタデータを前記コンテンツ表示制御装置に送信する。
【００１５】
例えば、前記メディアは、表示開始から所定の時間の長さが経過したときに表示終了するものであり、前記表示制御部は、前記復号後のコンテンツが表示可能か否かによらず、前記メディアを表示終了まで表示させるものであり、前記コンテンツ表示制御装置は、
前記メディアが表示終了したか否かを監視し、当該メディアが表示終了したなら、前記表示制御部により前記表示装置にコンテンツを表示させるタイミング制御部を備える。
【００１６】
第２の本発明は、コンテンツを表示装置に表示させるコンテンツ表示制御装置および当該コンテンツを表示するためのメタデータを有するメタデータ配信装置が行うコンテンツ表示方法であって、前記メタデータは、前記表示装置に表示されるべく定められたメディアを示すメディアＩＤを含むメディア情報と、暗号化された前記コンテンツを復号するためのライセンスキーを取得するためのライセンスＩＤとを含み、前記コンテンツ表示方法は、前記コンテンツ表示制御装置のメタデータ受信部が、前記コンテンツを示すコンテンツＩＤを前記メタデータ配信装置に送信するステップと、前記メタデータ配信装置が、当該コンテンツＩＤの送信に対して、前記メタデータを前記コンテンツ表示制御装置に送信するステップと、前記コンテンツ表示制御装置のメタデータ受信部が当該メタデータを受信するステップと、前記コンテンツ表示制御装置のメタデータ処理部が、当該メタデータ内のメディア情報内のメディアＩＤを所定のメディア蓄積装置に送信し、当該メディア蓄積装置から該当のメディアを受信するとともに、当該メタデータ内のライセンスＩＤと前記コンテンツＩＤを所定のライセンスキー発行装置に送信し、該ライセンスキー発行装置から該当のライセンスキーを受信するステップと、前記コンテンツ表示制御装置のコンテンツ受信部が、当該コンテンツＩＤを所定のコンテンツ配信装置に送信して、該コンテンツ配信装置から該当のコンテンツを受信するステップと、前記コンテンツ表示制御装置の暗号処理部が、当該コンテンツを当該ライセンスキーによって復号するステップと、前記コンテンツ表示制御装置の表示制御部が、前記復号後のコンテンツを前記表示装置に表示させ、且つ、当該コンテンツが表示可能になるまでは、前記メディアを前記表示装置に表示させるステップとを備えることを特徴とする。
【００１７】
例えば、前記メタデータ配信装置は、該メタデータ配信装置に送信されるコンテンツＩＤに対応するコンテンツの内容または前記表示装置に表示される当該コンテンツを見るユーザの属性に応じたメディアを示すメディアＩＤを含むメディア情報を含むメタデータを前記コンテンツ表示制御装置に送信する。
【００１８】
例えば、前記メディアは、表示開始から所定の時間の長さが経過したときに表示終了するものであり、前記表示制御部は、前記復号後のコンテンツが表示可能か否かによらず、前記メディアを表示終了まで表示させるものであり、前記コンテンツ表示方法は、前記コンテンツ表示制御装置のタイミング制御部が、前記メディアが表示終了したか否かを監視し、当該メディアが表示終了したなら、前記表示制御部により前記表示装置にコンテンツを表示させる。
【発明の効果】
【００１９】
本発明によれば、コンテンツ表示制御装置のメタデータ受信部が、コンテンツを示すコンテンツＩＤをメタデータ配信装置に送信し、メタデータ配信装置が、当該コンテンツＩＤの送信に対して、メタデータをコンテンツ表示制御装置に送信し、コンテンツ表示制御装置のメタデータ受信部が当該メタデータを受信し、コンテンツ表示制御装置のメタデータ処理部が、当該メタデータ内のメディア情報内のメディアＩＤを所定のメディア蓄積装置に送信し、当該メディア蓄積装置から該当のメディアを受信するとともに、当該メタデータ内のライセンスＩＤとコンテンツＩＤを所定のライセンスキー発行装置に送信し、該ライセンスキー発行装置から該当のライセンスキーを受信し、コンテンツ表示制御装置のコンテンツ受信部が、当該コンテンツＩＤを所定のコンテンツ配信装置に送信して、該コンテンツ配信装置から該当のコンテンツを受信し、コンテンツ表示制御装置の暗号処理部が、当該コンテンツを当該ライセンスキーによって復号し、コンテンツ表示制御装置の表示制御部が、復号後のコンテンツを表示装置に表示させ、且つ、当該コンテンツが表示可能になるまでは、メディアを表示装置に表示させるので、コンテンツが表示される前には、メディアが表示され、つまり、コンテンツが表示される前の表示装置に何も表示されない不都合を防止できる。
【図面の簡単な説明】
【００２０】
【図１】第１の実施の形態に係るコンテンツ表示システムが行うコンテンツ表示方法の一例を示すシーケンス図である。
【図２】コンテンツを表示するためのメタデータの一例を示す図である。
【図３】コンテンツ表示システムに含まれるコンテンツ表示制御装置の概略構成を示すブロック図である。
【図４】第２の実施の形態に係るコンテンツ表示システムに含まれるコンテンツ表示制御装置の概略構成を示すブロック図である。
【図５】従来のＤＲＭを用いたコンテンツ表示方法の一例を示す含むシーケンス図である。
【発明を実施するための形態】
【００２１】
以下、本発明の実施の形態について図面を参照して説明する。
【００２２】
［第１の実施の形態］
図１は、第１の実施の形態に係るコンテンツ表示システムが行うコンテンツ表示方法の一例を示すシーケンス図であり、図２は、コンテンツを表示するためのメタデータの一例を示す図であり、図３は、コンテンツ表示システムに含まれるコンテンツ表示制御装置の概略構成を示すブロック図である。
【００２３】
コンテンツ表示システムは、コンテンツを表示装置１に表示させるコンテンツ表示制御装置２および当該コンテンツを表示するためのメタデータを有するメタデータ配信装置３を含む。コンテンツ配信装置４は、コンテンツを有し、これを要求に応じて送信（配信）するサーバである。ライセンスキー発行装置５は、暗号化された前記コンテンツを復号するためのＤＲＭの鍵（ライセンスキーという）を有し、これを要求に応じて送信（発行）するサーバである。メディア蓄積装置６は、表示装置１に表示されるべく定められたメディアを有し、これを要求に応じて送信（提供）するサーバである。
【００２４】
図２に示すように、メタデータは、コンテンツ配信装置４およびコンテンツ配信装置４内のコンテンツを示すＵＲＩ（以下、コンテンツＩＤという）と、表示装置１内のメディアを示すメディアＩＤを含むメディア情報と、メディアの表示手順を示す表示手順情報を含み、図示しないが、さらに、暗号化された前記コンテンツを復号するためのライセンスキーを取得するためのライセンスＩＤと、当該ライセンスキーを有するライセンスキー発行装置５を示すＵＲＩとを含む。メタデータは、例えば、ＸＭＬ（Ｅｘｔｅｎｓｉｂｌｅ  Ｍａｒｋｕｐ  Ｌａｎｇｕａｇｅ）で記述される。
【００２５】
図２では、コンテンツＩＤは、
rtsp://vodserver/video.mp4
のように記述される。
【００２６】
また、メディア情報は、例えば、以下のような、文字情報、静止画、音声の各メディアについてのメディアＩＤを含む。
【００２７】
<resource id=“r1”> crid://textfile/file.txt</resource>
<resource id=“r2”> crid://graphics/gfile.jpg </resource>
<resource id=“r3”> crid://graphics/hfile.jpg </resource>
<resource id=“r4”> crid://audio/afile.aac </resource>
表示手順情報は、
<display>
<source >r1</source>
<sequence>
<source duration=“5s”>r2</source>
<source duration=“5s”>r3</source>
</sequence>
<position id=“p1” x=1;y=2>r2</position>
<position id=“p2” x=4;y=5>r3</position>
</display>
のように記載される。
【００２８】
この表示手順情報は、ｒ１で定義されたテキストファイルを全体に表示し、ｒ２で定義された画像ファイルを５秒間Ｐ１の位置にまたｒ３で定義されたファイルを５秒間Ｐ２の位置に表示させることを示している。
【００２９】
図３に示すように、コンテンツ表示制御装置２は、メタデータ受信部２１と、メタデータ処理部２２と、コンテンツ受信部２３と、暗号処理部２４と、コンテンツ制御部２５と、表示制御部２６とを備える。
【００３０】
メタデータ受信部２１は、予めコンテンツＩＤを有し、コンテンツを表示させるにあたり、コンテンツＩＤをメタデータ配信装置３に送信し、当該コンテンツＩＤの送信に対してメタデータ配信装置３から送信されるメタデータを受信し、該メタデータとコンテンツＩＤをメタデータ処理部２２に渡す。
【００３１】
メタデータ処理部２２は、渡されたメタデータ内のメディア情報内のメディアＩＤをメディア蓄積装置６に送信し、メディア蓄積装置６から該当のメディアを受信し、表示制御部２６に渡すとともに、メタデータ内のライセンスＩＤとコンテンツＩＤをライセンスキー発行装置５に送信し、ライセンスキー発行装置５から該当のライセンスキーを受信し、暗号処理部２４に渡し、コンテンツＩＤをコンテンツ受信部２３に渡す。
【００３２】
コンテンツ受信部２３は、コンテンツＩＤをコンテンツ配信装置４に送信して、コンテンツ配信装置４から該当のコンテンツを受信し、コンテンツ制御部２５に渡す。
【００３３】
コンテンツ制御部２５は、コンテンツを暗号処理部２４に渡す。
【００３４】
暗号処理部２４は、コンテンツをライセンスキーによって復号し、復号後のコンテンツを表示制御部２６に渡す。
【００３５】
表示制御部２６は、復号後のコンテンツを表示装置１に表示させ、且つ、コンテンツが表示可能になるまでは、メディアを表示装置１に表示させる。
【００３６】
（第１の実施の形態におけるコンテンツ表示方法）
次に、第１の実施の形態におけるコンテンツ表示方法について説明する。
【００３７】
図１において、メタデータ受信部２１は、コンテンツＩＤにおいてコンテンツ配信装置４を示すＵＲＩの部分に対応するメタデータ配信装置３にコンテンツＩＤを送信する（Ｓ１）。
【００３８】
メタデータ配信装置３は、コンテンツＩＤの送信に対し、図２に示すようなメタデータをコンテンツ表示制御装置２のメタデータ受信部２１に送信する（Ｓ３）。
【００３９】
例えば、メタデータ配信装置３は、コンテンツＩＤに対応するコンテンツの内容に応じたメディアを示すメディアＩＤを含むメディア情報を含むメタデータをメタデータ受信部２１に送信する。具体的には、メタデータ配信装置３は、コンテンツＩＤに対応するコンテンツが自動車に関するものなら、自動車保険のコマーシャル映像のようなメディアに対応するメディアＩＤを含むメディア情報を含むメタデータをメタデータ受信部２１に送信する。
【００４０】
または、メタデータ配信装置３は、表示装置１に表示されるコンテンツを見るユーザの属性に応じたメディアを示すメディアＩＤを含むメディア情報を含むメタデータをメタデータ受信部２１に送信する。具体的には、メタデータ配信装置３は、別途、そのユーザの属性を取得し、そのユーザが女性なら、化粧品のコマーシャル映像のようなメディアに対応するメディアＩＤを含むメディア情報を含むメタデータをメタデータ受信部２１に送信する。
【００４１】
メタデータ受信部２１は、メタデータを受信し、該メタデータとコンテンツＩＤをメタデータ処理部２２に渡す。メタデータ処理部２２は、渡されたメタデータ内のメディア情報内のメディアＩＤをメディア蓄積装置６に送信する（Ｓ５）。
【００４２】
メディア蓄積装置６は、メディアＩＤにより示されるメディアをコンテンツ表示制御装置２のメタデータ処理部２２に送信する（Ｓ７）。
【００４３】
メタデータ処理部２２は、メディアを受信し、メタデータ内の表示手順情報とともに、表示制御部２６に渡す。表示制御部２６は、メディアを表示手順情報に従って、表示装置１に表示させる（Ｓ９）。これにより、上記のような、自動車保険や化粧品のコマーシャル映像のようなメディアが表示される。
【００４４】
メタデータ処理部２２は、メディア等を表示制御部２６に渡すと同時に、メタデータ内のライセンスＩＤとコンテンツＩＤを、メタデータ内のライセンスキー発行装置５のＵＲＩによって示されるライセンスキー発行装置５に送信する（Ｓ１１）。
【００４５】
ライセンスキー発行装置５は、コンテンツ表示制御装置２についていわゆる端末認証を行い、さらに、コンテンツＩＤとライセンスＩＤが対応しているなら、当該ライセンスＩＤに対応するライセンスキーをコンテンツ表示制御装置２のメタデータ処理部２２に送信する（Ｓ１３）。
【００４６】
メタデータ処理部２２は、ライセンスキー発行装置５からライセンスキーを受信し、暗号処理部２４に渡し、コンテンツＩＤをコンテンツ受信部２３に渡す。暗号処理部２４は、ライセンスキーを用いて、コンテンツを復号するための準備を行う（Ｓ１５）。
【００４７】
コンテンツ受信部２３は、コンテンツＩＤをコンテンツ配信装置４に送信する（Ｓ１７）。
【００４８】
コンテンツ配信装置４は、コンテンツＩＤによって示される、暗号化されたコンテンツを、ＲＴＳＰなどのプロトコルで、コンテンツ表示制御装置２のコンテンツ受信部２３に送信する（Ｓ１９）。
【００４９】
コンテンツ受信部２３は、コンテンツ配信装置４からコンテンツを受信し、コンテンツ制御部２５に渡す。コンテンツ制御部２５は、コンテンツを暗号処理部２４に渡す。
【００５０】
暗号処理部２４は、コンテンツをライセンスキーによって復号し（Ｓ２１）、復号後のコンテンツを表示制御部２６に渡す。
【００５１】
このように、復号後のコンテンツが表示制御部２６に渡され、表示可能になるまでは、ライセンスキーの取得、コンテンツの復号が必要で、比較的長時間を要するが、その間、表示装置１にはメディアが表示されているので、コンテンツが表示される前の表示装置１に何も表示されないという不都合を防止することができる。
【００５２】
表示制御部２６は、復号後のコンテンツを渡されたなら、メディアの表示は不要なので、メディアを表示装置１に表示させるのを中止し（Ｓ２３）、復号後のコンテンツを表示装置１に表示させる（Ｓ２５）。
【００５３】
したがって、第１の実施の形態によれば、コンテンツが表示される前の表示装置１にメディアが表示されるので、コンテンツが表示される前の表示装置１に何も表示されないという不都合を防止することができ、コンテンツを見るユーザの満足度を向上することができる。
【００５４】
また、メタデータ配信装置３は、送信されるコンテンツＩＤに対応するコンテンツの内容または表示装置１に表示される当該コンテンツを見るユーザの属性に応じたメディアを示すメディアＩＤを含むメディア情報を含むメタデータをコンテンツ表示制御装置２に送信することで、コンテンツが表示される前の表示装置１には、コンテンツの内容やユーザの属性に応じたメディアが表示されるので、さらに、ユーザの満足度を向上することができる。
【００５５】
［第２の実施の形態］
図４は、第２の実施の形態に係るコンテンツ表示システムに含まれるコンテンツ表示制御装置の概略構成を示すブロック図である。第２の実施の形態では、第１の実施の形態の構成要素と同一のものには同一符号を付与し、第１の実施の形態との差異を中心に説明する。
【００５６】
図４に示すように、第２の実施の形態で使用されるコンテンツ表示制御装置２Ａは、メタデータ受信部２１と、メタデータ処理部２２と、コンテンツ受信部２３と、暗号処理部２４と、コンテンツ制御部２５と、表示制御部２６と、タイミング制御部２７を備える。
【００５７】
第２の実施の形態では、メディアは、表示開始から所定の時間の長さが経過したときに表示終了するものである。メディアは、例えば、図２のメディア情報により示されるような文字情報、静止画、音声が混在したものである。または、メディアは、動画（映像）が混在していてもよい。または、メディアは、動画のみでもよい。または、メディアは、音声のみでもよい。または、メディアは、文字情報や静止画を予め長さの間だけ表示するようなものでもよい。または、時間の長さは表示制御部２６に設定されていてもよい。
【００５８】
第２の実施の形態では、表示制御部２６は、復号後のコンテンツが表示可能か否かによらず、メディアを表示終了まで表示させる。
【００５９】
タイミング制御部２７は、メディアの表示状況と表示終了したか否かを監視し、メディアが表示終了したなら、コンテンツ受信部２３にその旨を伝える。
【００６０】
コンテンツ受信部２３は、コンテンツをコンテンツ制御部２５に渡さないで保持しておき、メディアが表示終了した旨を伝えられたら、例えば、コンテンツをコンテンツ制御部２５に渡す。
【００６１】
コンテンツ制御部２５は、コンテンツを暗号処理部２４に渡す。暗号処理部２４は、コンテンツをライセンスキーによって復号し（Ｓ２１）、復号後のコンテンツを表示制御部２６に渡す。
【００６２】
表示制御部２６は、メディアは表示終了しているので、表示中止せず、復号後のコンテンツを表示装置１に表示させる。
【００６３】
したがって、第２の実施の形態によれば、コンテンツ表示前に表示されるメディアは必ず表示終了するので、メディアの表示を途中で中止してしまい、ユーザの満足度が低下するような不都合を防止することができる。
【００６４】
なお、上記各実施の形態では、コンテンツ配信装置は、コンテンツＩＤによって示されるものであったが、コンテンツ配信装置は、予め固定的に定められ、必ずそのコンテンツ配信装置からコンテンツを取得するようにしてもよい。ライセンスキー発行装置についても同様である。
【００６５】
また、メディア蓄積装置についても、例えば、メタデータ内に当該メディア蓄積装置のＵＲＩを記載し、そのＵＲＩに対応するメディア蓄積装置からメディアを取得してもよいし、予め定められたメディア蓄積装置からメディアを取得してもよい。
【００６６】
なお、本実施の形態におけるコンテンツ表示方法やその一部をコンピュータに実行させるコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６７】
１…表示装置
２、２Ａ…コンテンツ表示制御装置
３…メタデータ配信装置
４…コンテンツ配信装置
５…ライセンスキー発行装置
６…メディア蓄積装置
２１…メタデータ受信部
２２…メタデータ処理部
２３…コンテンツ受信部
２４…暗号処理部
２５…コンテンツ制御部
２６…表示制御部
２７…タイミング制御部
【図１】
2011175404.tif 000003
【図２】
2011175404.tif 000004
【図３】
2011175404.tif 000005
【図４】
2011175404.tif 000006
【図５】
2011175404.tif 000007